(57)【要約】【課題】子供の成長に合わせて継続して使用可能なバスチェアを提供する。【解決手段】バスチェア１１は、座部１２と、背もたれ部１３と、座部１２の左右に配置される一対の肘掛部１４とを備え、主に乳幼児が使用する乳幼児用バスチェアであって、背もたれ部１３が座部１２の後方端から立ち上がって位置する使用形態と、座部１２の座面と背もたれ部１３の前面とが当接し、背もたれ部１３の背面と肘掛部１４の上面とが同一平面上に延在する折畳み形態とに切替可能である。【選択図】図１
2007143980.tif 000002
【特許請求の範囲】
【請求項１】
座部と、
背もたれ部と、
前記座部の左右に配置される一対の肘掛部とを備えるバスチェアであって、
前記バスチェアは、前記背もたれ部が前記座部の後方端から立ち上がって位置する使用形態と、前記座部の座面と前記背もたれ部の前面とが当接し、前記背もたれ部の背面と前記肘掛部の上面とが同一平面上に延在する折畳み形態とに切替可能である、バスチェア。
【請求項２】
前記肘掛部は、前記座部の後方領域にのみ設けられる、請求項１に記載のバスチェア。
【請求項３】
前記背もたれ部は、幅広部と幅狭部とを含むＴ字形状であって、
前記折畳み形態において、前記幅広部は、前記肘掛部の前方に位置し、
前記幅狭部は、前記一対の肘掛部の間に位置する、請求項２に記載のバスチェア。
【請求項４】
前記バスチェアは、前記背もたれ部の前記座部に対する角度を調整する角度調整手段を有する、請求項１〜３のいずれかに記載のバスチェア。
【請求項５】
前記座部の座面は、着座者の臀部および大腿部を受け入れる凹部を有し、
前記凹部は、前記座部の後方領域から前方領域に向かって広がる略台形形状である、請求項１〜４のいずれかに記載のバスチェア。
【請求項６】
前記背もたれ部の前面は、着座者の背中を受け入れる凹部を有し、
前記凹部は、前記背もたれ部の下方領域から上方領域に向かって広がる略台形形状である、請求項１〜５のいずれかに記載のバスチェア。
【請求項７】
前記背もたれ部の前面は、着座者の首を後ろから支える頸椎支え部を有する、請求項１〜６のいずれかに記載のバスチェア。
【発明の詳細な説明】
【技術分野】
【０００１】
この発明は、浴室で使用するバスチェア、特に身体が十分に発育していない乳幼児に適したバスチェアに関するものである。
【背景技術】
【０００２】
従来のバスチェアは、例えば、特開２００４−１２１４９１号公報（特許文献１）に記載されている。同公報に記載されているバスチェア１は、図１５に示すように、座部２と、背もたれ部３と、座部２の左右に配置される一対の肘掛部４と、保管用台部５と、前枠６とを備え、主に乳幼児が使用する乳幼児用バスチェアである。
【０００３】
このバスチェア１は、使用時においては背もたれ部３が座部２に対して所定の角度傾斜して配置され、この傾斜角度は適宜変更することができる。これにより、使用態様に合わせて背もたれ部３の適切な角度が選択できるので、乳幼児に様々な姿勢を取らせることができると記載されている。
【０００４】
一方、保管時においては、図１６に示すように座部２と背もたれ部３とを重ね合わせるようにしてコンパクトに折り畳むことができる。また、この状態において、バスチェア１は保管用台部５によって自立するので、保管時の平面的設置スペースを減少させることができると記載されている。
【特許文献１】特開２００４−１２１４９１号公報
【発明の開示】
【発明が解決しようとする課題】
【０００５】
上記構成のバスチェア１は、主に乳幼児が使用することを前提としているが、乳幼児は成長が早いので使用可能期間は非常に短い。また、このバスチェア１は、乳幼児の安全のために前枠６と一対の肘掛部４とで保護枠を構成しているので、特に子供の成長によるサイズの変動に対応することが難しい。
【０００６】
さらに、このバスチェア１は非常にコンパクトに折り畳むことができるが、乳幼児用バスチェア以外の用途がなく、長期間にわたって使用されることは考えにくいので、この利点を有効に生かせないという問題がある。
【０００７】
そこで、この発明の目的は、子供の成長に合わせて継続して使用可能なバスチェアを提供することである。
【課題を解決するための手段】
【０００８】
この発明に係るバスチェアは、座部と、背もたれ部と、座部の左右に配置される一対の肘掛部とを備える。そして、背もたれ部が座部の後方端から立ち上がって位置する使用形態と、座部の座面と背もたれ部の前面とが当接し、背もたれ部の背面と肘掛部の上面とが同一平面上に延在する折畳み形態とに切替可能である。
【０００９】
上記構成のバスチェアは、保管時には座部と背もたれ部とを重ね合わせてコンパクトに折り畳むことができる。また、折畳み形態で背もたれ部の背面と肘掛部の上面とが同一平面となるので、大人用のバスチェア等としても使用可能となる。その結果、子供が成長した後も継続して使用可能なバスチェアを得ることができる。
【００１０】
好ましくは、肘掛部は前記座部の後方領域にのみ設けられる。乳幼児を座部に座らせると、自然と両膝が外側を向く。これを妨げると股関節を圧迫し、乳幼児の成長に著しい悪影響を及ぼす恐れがある。そこで、座部の後方領域にのみ肘掛部を設けて前方領域に広いスペースを確保することにより、この問題を解消することが可能となる。
【００１１】
好ましくは、背もたれ部は幅広部と幅狭部とを含むＴ字形状であって、折畳み形態において、幅広部は前記肘掛部の前方に位置し、幅狭部は一対の肘掛部の間に位置する。これにより、折畳み形態において上面に凹凸のない平坦面が形成されるので、大人用バスチェア等として使用し易くなる。
【００１２】
好ましくは、バスチェアは、背もたれ部の座部に対する角度を調整する角度調整手段を有する。これにより、例えば、身体を洗うときは背もたれ部を立てた状態とし、頭を洗うときは背もたれ部を倒した状態とする等、使用態様に合わせて背もたれ部の最適な角度を選択することができる。
【００１３】
好ましくは、座部の座面は、着座者の臀部および大腿部を受け入れる凹部を有し、凹部は、座部の後方領域から前方領域に向かって広がる略台形形状である。また、背もたれ部の前面は、着座者の背中を受け入れる凹部を有し、凹部は、背もたれ部の下方領域から上方領域に向かって広がる略台形形状であることが好ましい。これにより、姿勢の不安定な乳幼児であっても安全に使用することができる。
【００１４】
好ましくは、背もたれ部の前面は、着座者の首を後ろから支える頸椎支え部を有する。頸椎支え部により、乳幼児の首を後ろから支えるので、乳幼児の頸椎を適切な姿勢に維持して気道を閉塞させる心配がない。
【発明の効果】
【００１５】
この発明によれば、身体の発育が十分でない乳幼児が安全に使用でき、子供の成長後も継続して使用可能なバスチェアを得ることができる。
【発明を実施するための最良の形態】
【００１６】
図１〜図１４を参照して、この発明の一実施形態に係るバスチェア１１を説明する。
【００１７】
まず、図１〜図１１を参照して、バスチェア１１の使用形態を説明する。バスチェア１１は、座部１２と、背もたれ部１３と、座部１２の左右に配置される一対の肘掛部１４とを備え、主に乳幼児が使用する乳幼児用バスチェアであって、図１は背もたれ部１３が座部１２の後方端から立ち上がって位置する使用形態を示している。
【００１８】
座部１２は、着座者である乳幼児の臀部および大腿部を受け入れるための凹部１２ａを有する。この凹部１２ａは、座面上の後方領域から前方領域に向かって広がる略台形形状であり、凹部１２ａの前方中央部には、前方領域に向かって高くなる隆起部１２ｂが設けられている。また、座部１２の後方領域は肘掛部１４によって幅が狭く、前方領域は幅が広いＴ字形状である。
【００１９】
座部１２に凹部１２ａを設けることにより、乳幼児の臀部の位置を安定させることができる。また、凹部１２ａの形状を略台形形状とし、前方中央部に隆起部１２ｂを設けることにより、両膝を外側に向けて座る姿勢を妨げることがない。さらに、足の間に隆起部１２ｂを配置することにより、乳幼児が座部１２の前方から滑り落ちるのを有効に防止することができる。
【００２０】
背もたれ部１３は、座部１２と同様に幅広部１３ａと幅狭部１３ｂとを含むＴ字形状であって、乳幼児の頭部を受け入れる凹部１３ｃと、背中を受け入れる凹部１３ｄと、乳幼児の首を後ろから支えるように隆起した頸椎支え部１３ｅとが設けられており、凹部１３ｃ，１３ｄ全体としては、背もたれ部１３の下方領域から上方領域に向かって広がる略台形形状である。
【００２１】
頭部および背中を受け入れる凹部１３ｃおよび１３ｄを設けることにより、乳幼児の背中の位置を安定させることができる。また、頸椎支え部１３ｅが、図２に示すように乳幼児の頸椎を後ろから支えるので、乳幼児の頸椎を適切な姿勢に維持して気道を閉塞させる心配がない。
【００２２】
また、乳幼児の頭部を受け入れる凹部の他の例として、図３〜図５に示すような背もたれ部２３であってもよい。図３に示す背もたれ部２３は、乳幼児の頭部を受け入れる凹部２３ｃと、凹部２３ｃの上部および両側部に逆Ｕ字状に隆起した頭部位置決め部２３ａと、凹部２３ｃの下部に乳幼児の頸椎を後ろから支える頸椎支え部２３ｂとを備える。
【００２３】
この背もたれ部２３は、図４に示すように、頭部位置決め部２３ａより低い位置まで隆起した頸椎支え部２３ｂによって、乳幼児の頸椎を後ろから支えるので、乳幼児の軌道閉塞を防止することができると共に、図５に示すように、凹部２３ｃの両側部に配置された頭部位置決め部２３ａが、乳幼児の頭部を適切な位置に位置決めすることができる。
【００２４】
肘掛部１４は、座部１２の後方領域の左右にそれぞれ配置され、乳幼児の横方向への脱落を防止する。ここで、座部１２の前方領域に肘掛部１４を設けないことにより、乳幼児が両膝を外側に向けた自然な状態で座ることができ、股関節の圧迫を防ぐことができる。また、座部１２の前方領域には広いスペースが形成されるので、身体を洗い易くなる。
【００２５】
なお、他の実施形態として、肘掛部を座部の前方領域にまで設けたバスチェアであってもよいが、この場合には、乳幼児の股関節の圧迫を避けるために、座部の幅を相対的に広く設計することが好ましい。
【００２６】
また、バスチェア１１は、使用態様に応じて背もたれ部１３の座部１２に対する角度を変更可能に設計されている。例えば、背もたれ部１３の座部１２に対する角度を調整する角度調整手段としての角度調整部材１５を有する。この角度調整部材１５は、図６に示すように、座部１２の後方下部に収納される水平部１５ａと、背もたれ部１３の背面を支持する垂直部１５ｂとを有するＬ字型の部材である。
【００２７】
この角度調整部材１５は、水平部１５ａを引き出したり、押し入れたりすることにより、背もたれ部１３を任意の角度で保持することができる。例えば、図７に示すように、最も奥まで押し入れた角度調整部材１５の位置では、座部１２と背もたれ部１３との角度は最も小さくなる。ある程度引き出した角度調整部材１５´の位置では、背もたれ部１３より倒れた背もたれ部１３´の位置、さらに引き出した角度調整部材１５´´の位置では、背もたれ部１３´よりさらに倒れた背もたれ部１３´´の位置となる。
【００２８】
さらに、このバスチェア１１は、背もたれ部１３の高さを調整することができる。例えば、図８に示すように、背もたれ部１３をシャフト１６によって座部１２に回動可能に保持する構造の場合には、図９に示すように、座部１２にシャフト１６を受け入れる複数の孔１２ｃを設け、背もたれ部１３が適切な高さとなるような孔１２ｃを選択すること等により実現可能である。
【００２９】
これにより、子供の成長に合わせて背もたれ部１３の高さを調節できるので、継続して使用可能なバスチェア１１を得ることができる。特に、頸椎支え部１３ｅを適切な位置に配置することができる点で有効である。
【００３０】
または、背もたれ部の高さ調整手段の他の例としては、図１０に示すように、背もたれ部３３の上方領域の内部に高さ調整部３３ａが収容されている。この高さ調整部３３ａを、図１１に示すように背もたれ部３３の上端から任意の高さまで引き上げることにより、背もたれ部３３全体としての高さを調整することができる。
【００３１】
この方法の場合、背もたれ部３３の高さ調整をバスチェアを使用しながら行うことができるので、例えば、洗髪をする際には、高さ調整部３３ａを収容して低い状態として使用し、身体を洗う際には、高さ調整部３３ａを引き上げて高い状態として使用する等が可能となる。
【００３２】
次に、図１２を参照して、この発明の他の実施形態に係るバスチェア４１を説明する。このバスチェア４１は、基本構造は図１に示すバスチェア１１と同様であるので、相違点を中心に説明する。
【００３３】
まず、座部４２の凹部４２ａおよび背もたれ部４３の凹部４３ｃ，４３ｄには、それぞれ表面から裏面に貫通する貫通孔４２ｃ，４３ｆを有する。この貫通孔４３ｃ，４３ｆは、座部４２および背もたれ部４３の水抜き孔または通気孔として機能する。
【００３４】
また、両端が背もたれ部４３の両側面にそれぞれ固定され、中央部がバックル４５ａによって着脱可能とされている身体固定ベルト４５を有している。これにより、さらに乳幼児の身体を安定させることが可能となる。
【００３５】
なお、上記の各実施形態において、背もたれ部１３，４３の凹部１３ｃ，１３ｄ，４３ｃ，４３ｄの底壁および側壁は、それぞれ平面で構成される例を示したが、これに限ることなく、側壁を滑らかな曲線形状としてもよいし、凹部全体を滑らかな曲線形状としてもよい。これにより、乳幼児の頭部または背中と背もたれ部１３，４３との間に手を入れて身体を洗いやすくなる。
【００３６】
また、上記の各実施形態において、乳幼児の身体と接する部分、具体的には座部１２，４２および背もたれ部１３，４３の凹部１２ａ，１３ｃ，１３ｄ，４２ａ，４３ｃ，４３ｄは、クッション性を有する材質で形成される層で覆われているのが望ましい。これにより、乳幼児のバスチェアからの脱落を有効に防止できると共に、座り心地のよいバスチェアを得ることができる。
【００３７】
上記構成のバスチェア１１は、折畳み形態に切替えることができる。図１３および図１４を参照して、バスチェア１１の折畳み形態を説明する。折畳み形態においては、図１３に示すように、座部１２の座面と背もたれ部１３の前面とが当接した状態となり、背もたれ部１３の幅広部１３ａは肘掛部１４の前方に位置し、幅狭部１３ｂは一対の肘掛部１４の間に位置する。また、背もたれ部１３の背面と肘掛部１４の上面とは同一平面上に延在し、折畳み形態におけるバスチェア１１の上面には平坦面が形成される。
【００３８】
この状態のバスチェア１１は、コンパクトに折畳み可能であると共に、平坦面を座面として大人用のバスチェア等としても使用可能である。ただし、背もたれ部１３の背面は相対的に強度が低いので、大人用バスチェアとして使用する場合には、図１４に示すように、天地を逆にして、座部１２の裏面を座面として使用することが望ましい。このとき、折畳み形態におけるバスチェア１１の肘掛部１４および背もたれ部１３の幅広部１３ａ両側部の強度を高くすることが望ましい。
【００３９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４０】
この発明は、主に乳幼児が使用するバスチェアに有利に利用される。
【図面の簡単な説明】
【００４１】
【図１】この発明の一実施形態に係るバスチェアの使用形態を示す図である。
【図２】図１に示す背もたれ部の凹部の形状を示す側断面図である。
【図３】背もたれ部の頭部を受け入れる凹部の他の例を示す図である。
【図４】図３のＡ−Ａ´での断面図である。
【図５】図３のＢ−Ｂ´での断面図である。
【図６】図１に示すバスチェアの背もたれ部の角度調整部材の一例を示す図である。
【図７】図６の角度調整部材を用いて、背もたれ部の角度を調整する状態を示す図である。
【図８】バスチェアの背面図である。
【図９】背もたれ部の高さ調整手段の一例を示す図である。
【図１０】背もたれ部の高さ調整手段の他の例を示す図であって、背もたれ部が低い状態で保持された図である。
【図１１】図１０の背もたれ部を高くした状態を示す図である。
【図１２】この発明の他の実施形態に係るバスチェアの使用形態を示す。
【図１３】この発明の一実施形態に係るバスチェアの折畳み形態を示す図である。
【図１４】図１３に示すバスチェアの天地を逆にした状態を示す図である。
【図１５】従来の乳幼児用バスチェアの使用時の状態を示す図である。
【図１６】従来の乳幼児用バスチェアの保管時の状態を示す図である。
【符号の説明】
【００４２】
１，１１，４１  バスチェア、２，１２，４２  座部、１２ａ，１３ｃ，１３ｄ，４２ａ，４３ｃ，４３ｄ  凹部、１２ｂ，４２ｂ  隆起部、１２ｃ  孔、３，１３，２３，３３，４３  背もたれ部、１３ａ，４３ａ  幅広部、１３ｂ，４３ｂ  幅狭部、１３ｅ，４３ｅ  頸椎支え部、２３ａ  頭部位置決め部、２３ｂ  頸椎支え部、２３ｃ  凹部、３３ａ  高さ調整部、４，１４，４４  肘掛部、５  保管用台部、６  前枠、１５  角度調整部材、１５ａ  水平部、１５ｂ  垂直部、１６  シャフト、４２ｃ，４３ｆ  貫通孔、４５  身体固定ベルト、４５ａ  バックル。
【図１】
2007143980.tif 000003
【図２】
2007143980.tif 000004
【図３】
2007143980.tif 000005
【図４】
2007143980.tif 000006
【図５】
2007143980.tif 000007
【図６】
2007143980.tif 000008
【図７】
2007143980.tif 000009
【図８】
2007143980.tif 000010
【図９】
2007143980.tif 000011
【図１０】
2007143980.tif 000012
【図１１】
2007143980.tif 000013
【図１２】
2007143980.tif 000014
【図１３】
2007143980.tif 000015
【図１４】
2007143980.tif 000016
【図１５】
2007143980.tif 000017
【図１６】
2007143980.tif 000018